(57)【特許請求の範囲】
【請求項１】
固体粒子を気体によって流動させて流動層を形成し、その流動層中に線材を挿通させて熱処理を行う流動層熱処理炉において、
炉体（１）の下部に燃焼用気体供給管（６）と流動用気体供給管（７）が炉底面（１ａ）に平行かつ線材（５）の移動方向に対して直角方向に複数取付けられていること、
前記燃焼用気体供給管（６）と流動用気体供給管（７）は同じ高さに設置されていること、
前記燃焼用気体供給管（６）と流動用気体供給管（７）の端部は、一方は管端の開口部を閉鎖して炉体側壁（１ｂ）に接合され、他方は炉外に設置されている気体供給系（１０，１３）に接続されていること、
燃焼用気体供給管（６）と流動用気体供給管（７）の上面には、複数の上方に延びる分配管（１４，１５）が取付けられ、前記分配管（１４，１５）は燃焼用気体供給管（６）および流動用気体供給管（７）の上面より少し上のレベルで止まる高さを有しており、分配管（１４，１５）の上端部から炉内へ燃焼用気体および流動用気体を送入し、炉内で燃焼用気体と流動用気体を混合させること、
流動用気体供給管（７）の上面に取付けられている分配管（１５）位置より上方で流動層を形成し、分配管（１５）位置より下方は固体粒子が堆積した状態とすること、
を特徴とする流動層熱処理炉。
【請求項２】
請求項１に記載の流動層熱処理炉において、炉内が炉底面（１ａ）から線材（５）のパスラインの下に至る高さの隔壁（１９）により複数のゾーン（２０ａ〜２０ｄ）に区画され、各ゾーン毎に流動用気体供給管（７）と燃焼用気体供給管（６）が複数取付けられていること、
を特徴とする流動層熱処理炉。
【請求項３】
請求項１または請求項２に記載の流動層熱処理炉において、炉内に形成させる流動層（１７）の流動化速度は流動用気体の供給量で制御し、炉内の温度制御は流動用気体の供給量を一定にして燃焼用気体の供給量で制御を行うこと、
を特徴とする流動層熱処理炉の制御方法。
【請求項４】
請求項２に記載の流動層熱処理炉において、線材（５）の表面酸化量が多くなる温度範囲のゾーンでは、燃焼用気体の量を多くし、常に一定の燃焼となるようにゾーン内の雰囲気を保持すること、
前記温度範囲以下となるゾーンでは、燃焼用気体の供給量によりゾーン内の温度制御を行うこと、
を特徴とする流動層熱処理炉の制御方法。
【発明の詳細な説明】
【技術分野】
【０００１】  本発明は、線材等を連続走行させつつ熱処理を施す流動層熱処理炉に関するものである。
【背景技術】
【０００２】  通常、線材の伸線性を良好にするために、パテンティング処理が行われている。パテンティング処理には、アルミナ、ジルコンサンドなどで形成される層内に気体を送入して流動化状態とし、これにより形成される流動層に被処理材を通過させて熱処理を行う流動層熱処理炉が用いられている。この流動層熱処理炉としては、従来次のような方式のものが知られている。【０００３】  図７（ａ）に示すような、炉内の下部に通気性の整流板３０を設け、整流板下方の気体室３１でバーナ３２を用いてガスを燃焼させ、高温の燃焼生成ガス３３で整流板上に配した固体粒子３４を流動化させる下部燃焼方式が知られている。【０００４】  図７（ｂ）に示すような、炉内の下部に通気性の整流板３０を設け、整流板下方の気体室３１に空気３５と燃焼用気体３６を送入して、混合させた気体３７で整流板上に配した固体粒子３４を流動化させ、炉体側壁に取付けた点火用バーナ３８を用いて燃焼させる炉内燃焼方式が知られている。【０００５】  図７（ｃ）に示すような、炉内の下部に通気性の整流板３０を設け、整流板下方の気体室３１に空気３５を送入して整流板上に配した固体粒子３４を流動化させ、炉体天井に取付けたバーナ３２を用いて流動層上部から直接加熱する流動層上部直接加熱方式が知られている。【０００６】  図７（ｄ）に示すような、炉内の下部に通気性の整流板３０を設け、整流板下方の気体室３１に空気３５を送入して整流板上に配した固体粒子３４を流動化させ、整流板の上に挿入されたラジアントチューブ３９で加熱するラジアントチューブ浸漬加熱方式が知られている。【０００７】  図７（ｅ）に示すような、炉内の下部に通気性の整流板３０を設け、整流板下方の気体室３１に空気３５を送入して整流板上に配した固体粒子３４を流動化させ、炉体外壁に設けられたヒータなどの加熱装置４０により間接的に熱を加えて加熱する外部加熱方式が知られている。【０００８】  また、これらの流動層熱処理炉よりも高い温度で熱処理を行うものとして、図８に示すような炉体の下部に２つの仕切り壁４２を介して主流動用気体室４３と流動兼加熱用気体室４４を区画形成し、２つの仕切り壁４２に配設されている分配ノズル４５の噴出孔のレベル差により、粒体を粒子固定層４６と粒子固定層４６よりも深さの浅い粒子流動層４７に画成する高温用流動層熱処理炉が提案されている（例えば、特許文献１参照。）。【０００９】
【特許文献１】特開平３−７２０３６号公報
【発明の開示】
【発明が解決しようとする課題】
【００１０】  しかしながら、下部燃焼方式の流動層熱処理炉では、燃焼生成ガスで流動化速度と温度の両方を制御しているため、温度制御に伴い流動化速度が大きく変化し、流動層から被処理材への熱伝達が一定でなく、安定した熱処理ができないという問題があった。【００１１】  炉内燃焼方式の流動層熱処理炉では、空気と燃焼用気体の混合気体で流動化速度と温度の両方を制御しているため、温度制御に伴い流動化速度が大きく変化し、流動層から被処理材への熱伝達が一定でなく、安定した熱処理ができないという問題があった。【００１２】  流動層上部直接加熱方式の流動層熱処理炉では、炉内の下部から常温の空気を送り、流動層上部から加熱しているため燃料の効率が悪く、また、炉内の雰囲気制御が困難であるという問題があった。【００１３】  ラジアントチューブ浸漬加熱方式の流動層熱処理炉では、ラジアントチューブが炉内下部からの気体の流れを阻害するため、固体粒子の流動化状態が悪化し、流動化速度と温度の制御が困難であるという問題があった。【００１４】  外部加熱方式の流動層熱処理炉では、間接的に固体粒子に熱を加えているため熱効率が悪いという問題があった。【００１５】  また、下部燃焼方式、炉内燃焼方式、流動層上部直接加熱方式、ラジアントチューブ浸漬加熱方式、外部加熱方式の流動層熱処理炉に用いられている整流板は、流動層温度に絶えず晒されるため高温となり、固体粒子の重量を受ける構造であるため、早期に破損するという問題があった。従って、これらの流動層熱処理炉では、整流板が高温にならないように６００〜７００℃程度までの温度で使用されており、それ以上の温度で使用することは困難であった。【００１６】  これらの流動用熱処理炉よりも高い温度で熱処理を行うことのできる、図８に示す高温用流動層熱処理炉では、粒子固定層を介して仕切り壁に伝達される熱が、下位の分配ノズルから噴出される気体で冷却されるとともに、上位の分配ノズルを通過する気体により間接冷却されるため、仕切り壁は一定の温度以上にならない構造としているが、実際は、主流動用気体室に配設されている上位の分配ノズルから噴出された流動用気体の一部は、流動兼加熱用気体室に配設されている下位の分配ノズル付近で可燃性ガスと混合して燃焼するため、仕切り壁の温度は高くなるという問題があった。この上、仕切り壁は粒子固定層の重量を常時受ける構造となっているため、仕切り壁の変形や、下位の分配ノズルと上位の仕切り壁の接合箇所で溶接割れが発生する危険性があった。また、上位の仕切り壁は、流動の影響により常に振動を受けているため、下位の分配ノズルと上位の仕切り壁の接合箇所で溶接割れが発生する危険性があった。【００１７】  また、上位の仕切り壁には分配ノズルを溶接で固定するため、溶接作業が行える程度の隙間が必要となるが、上位の分配ノズルが長いため、下位の分配ノズルを溶接するためには、上位の分配ノズルと下位の分配ノズルの間隔を広くする必要がある。このように上位の分配ノズルと下位の分配ノズルの間隔を広くした場合、均一な流動化が得られなくなるという問題があった。また、均一な流動化が得られる分配ノズル間隔に配置するためには、溶接作業ができるように、上位の分配��ズルの高さを下位の分配ノズルと同程度にする必要があるが、上位の分配ノズルの高さを下位の分配ノズルと同程度にすると粒子固定層が形成できなくなる。【００１８】  これらの従来技術では、線材を熱処理した際に線材の表面に酸化鉄の皮膜であるスケールが多く付着するという問題もあった。
【課題を解決するための手段】
【００１９】  前述の問題を有利に解決するために、本発明の流動層熱処理炉は、固体粒子を気体によって流動させて流動層を形成し、その流動層中に線材を挿通させて熱処理を行う流動層熱処理炉において、炉体の下部に燃焼用気体供給管と流動用気体供給管が炉底面に平行かつ線材の移動方向に対して直角方向に複数取付けられており、前記燃焼用気体供給管と流動用気体供給管は同じ高さに設置されている。前記燃焼用気体供給管と流動用気体供給管の端部は、一方は管端の開口部を閉鎖して炉体側壁に接合され、他方は炉外に設置されているそれぞれの気体供給系に接続される構成としている。燃焼用気体供給管と流動用気体供給管の上面には、複数の上方に延びる分配管が取付けられ、前記分配管は燃焼用気体供給管および流動用気体供給管の上面より少し上のレベルで止まる高さを有しており、分配管の上端部から炉内へ燃焼用気体および流動用気体を送入し、炉内で燃焼用気体と流動用気体を混合させて燃焼させる。また、流動層は分配管位置より上方で形成し、分配管位置より下方は固体粒子が堆積した状態とする。【００２０】  この構成の流動層熱処理炉では、炉内に形成させる流動層の流動化速度は流動用気体の供給量で制御を行い、炉内の温度制御は流動用気体の供給量を一定にして燃焼用気体の供給量で制御を行う。【００２１】  前述の構成は炉体全体に一様に設けられてもよいが、被処理材の酸化が問題となる場合には、炉内を炉底面から線材のパスラインの下に至る高さの隔壁により複数のゾーンに区画し、各ゾーン毎に流動用気体供給管と燃焼用気体供給管を複数取付け、各ゾーン毎に温度制御と雰囲気制御を行う。【００２２】  この炉内を炉底面から線材のパスラインの下に至る高さの隔壁により複数のゾーンに区画された流動層熱処理炉において、線材の表面酸化量が多くなる温度範囲のゾーンでは、燃焼用気体の量を多くし、常に一定の燃焼となるようにゾーン内の雰囲気を保持し、前記温度範囲以下となるゾーンでは、燃焼用気体の供給量によりゾーン内の温度制御を行う。
【発明の効果】
【００２３】  本発明の炉内に隔壁を設けない構成の流動層熱処理炉によれば、炉内に流動用気体と燃焼用気体を別々に送入し、炉内で流動用気体と燃焼用気体を混合させて燃焼させるため、効率の良い流動加熱を行うことができる。また、従来の流動層熱処理炉のように整流板を用いる構成ではなく、炉内に燃焼用気体供給管と流動用気体供給管を取付ける構成となっているため、各供給管には固体粒子の重量がほとんどかからず、破損が起こりにくい。このため、高い温度の熱処理に使用が可能である。【００２４】  また、従来の流動層熱処理炉のようにノズルが溶接された仕切り壁を用いる構成ではなく、炉内に燃焼用気体供給管と流動用気体供給管を取付ける構成となっているため、流動により振動を受けても溶接割れなどの破損は起こらない。【００２５】  さらに、炉内の温度制御は、流動用気体の供給量を一定にして燃焼用気体の供給量のみで制御を行うため、温度制御に伴い流動化速度の変化がほとんどなく、流動層から被処理材への熱伝達が一定となり安定した熱処理を行うことができる。【００２６】  炉内に隔壁を設ける構成の熱処理流動層によれば、線材の表面酸化量は、高温で酸化雰囲気に晒される時間が長いほど多くなるため、線材の表面酸化量が多くなる温度範囲のゾーンでは、燃焼用気体の量を多くして、常に一定の燃焼となるようにゾーン内の雰囲気を保持し、前記温度範囲以下となるゾーンでは、燃焼用気体の供給量によりゾーン内の温度制御を行うことで、被処理材の酸化を防ぐことができる。
【発明を実施するための最良の形態・実施例】
【００２７】  以下、本発明の実施例を図面により説明する。
【実施例１】
【００２８】  図１〜図３は本発明による流動層熱処理炉の例を示している。金属製の炉体１は、炉の長手方向両端に線材５を通過させるための入口２と出口３が設けられており、炉の天井には排気管４が設けられ、図示しないが、炉体内部は耐火煉瓦、断熱煉瓦などで耐熱処理が施されている。【００２９】  炉体１の下部には、炉底面１ａに平行かつ線材５の移動方向に対して直角方向に燃焼用気体供給管６および流動用気体供給管７が複数設けられている。図１〜３では、燃焼用気体供給管６と流動用気体供給管７を交互に設置した場合の実施例を示している。前記燃焼用気体供給管６と流動用気体供給管７は耐熱金属からなり、燃焼用気体供給管６と流動用気体供給管７の端部は、一方は管端の開口部を閉鎖して炉体側壁１ｂに接合され、他方は炉外に設置されているそれぞれの気体供給系１０，１３に接続されている。【００３０】  燃焼用気体供給管６に接続された燃焼用気体供給系１０は、燃焼用気体供給手段９に接続されるとともに、中間には第２図で１つのブロックを代表的に示すように、流量調整弁を含む制御装置８が設けられ、これにより各燃焼用気体供給管６への燃焼用気体供給量を任意に調整し得るようになっている。燃焼用気体には、可燃性ガスが用いられている。【００３１】  流動用気体供給管７に接続された流動用気体供給系１３は、ブロワやファンなどの流動用気体供給手段１２に接続されるとともに、中間には第３図で１つのブロックを代表的に示すように、流量調整弁を含む制御装置１１が設けられ、これにより各流動用気体供給管７への流動用気体供給量を任意に調整し得るようになっている。流動用気体には、酸素が用いられている。【００３２】  燃焼用気体供給管６の上面から立ち上がる複数本の分配管１４は耐熱金属からなり、分配管１４の上端は燃焼用気体供給管６の上面より少し上のレベルで止まる高さを有し、互いに所定の間隔をおいて配置されている。また、燃焼用気体の分配管１４の上端には耐熱材料からなるノズル１６が取付けられている。【００３３】  流動用気体供給管７の上面から立ち上がる複数本の分配管１５は耐熱金属からなり、分配管１５の上端は流動用気体供給管７の上面より少し上のレベルで止まる高さを有し、互いに所定の間隔をおいて配置されている。また、流動用気体の分配管１５の上端には耐熱材料からなるノズル１６が取付けられている。【００３４】  その他、図面において、１７は流動層であり、流動用気体供給管７から炉内へ送入される流動用気体により、固体粒子が流動化状態となり流動層１７が形成される。また、炉体側壁１ｂには点火用バーナ１８が取り付けられており、燃焼用気体と流動用気体の混合気体に点火することで燃焼が開始される。なお、炉体１には図示しないが、流動層１７の温度を検出するための計測手段が取付けられている。【００３５】  実施例１の流動層熱処理炉を用いる場合、まず流動用気体供給系１３により流動用気体を流動用気体供給管７に連続的に送り込むとともに、燃焼用気体供給系１０により燃焼用気体を燃焼用気体供給管６に連続的に送り込む。流動用気体供給管７に送り込まれた流動用気体は分配管１５を通って、分配管１５の上端のノズル１６から炉内へ噴出される。この流動用気体��より固体粒子が流動化状態となり流動層１７を形成する。また、燃焼気体用供給管６に送り込まれた燃焼用気体は分配管１４を通って、分配管１４の上端のノズル１６から炉内へ噴出され、この燃焼用気体が流動層中の流動用気体と混合される。この混合気体に点火用バーナ１８で点火することで燃焼が開始し、流動層１７が加熱され、流動層中を通過する線材５が加熱される。【００３６】  前記流動層１７は、分配管１５位置より上方で形成されるため、分配管１５位置より下方の固体粒子は流動化状態にはならず、固体粒子が堆積した状態２１となる。これより、燃焼用気体供給管６および流動用気体供給管７はこの堆積した固体粒子の上に載っている状態２１になるため、気体供給管６，７に固体粒子の重量がかからない。【００３７】  図１〜３に示すように、燃焼用気体供給管６と流動用気体供給管７は同じ高さで設置されている。【００３８】  燃焼に使用される流動用気体と燃焼用気体の割合は、燃焼用気体の量に対して流動用気体の量が非常に多いため、燃焼用気体の供給量は、流動化速度にほとんど影響を与えない。これより、炉内に形成させる流動層１７の流動化速度は流動用気体の供給量のみで制御を行う。また、炉内の温度制御は流動用気体の供給量を一定にした状態で、燃焼用気体の供給量のみの制御で行うことで、温度制御に伴う流動化速度の変化がほとんどなく、流動層１７から線材５への熱伝達が一定となり、安定した熱処理を行うことができる。
【実施例２】
【００３９】  線材を熱処理すると線材の表面に酸化鉄の皮膜であるスケールが形成される。このスケールは、高温で酸化雰囲気に晒される時間が長いほど付着量が多くなる。この線材の酸化が問題となる場合は、図４〜図６に示すように実施例１記載の流動層熱処理炉の炉内に隔壁を設けて複数のゾーンに区画し、各ゾーン毎に温度制御や雰囲気制御を行う。【００４０】  炉内に一定間隔をおいて立設された隔壁１９は、それぞれ炉底面１ａから線材５のパスラインより下の所定レベルに達する高さを有し、両側縁が炉体１の幅方向側壁に溶接などによって結合されている。これにより、線材５のパスラインより下が複数のゾーン（実施例では４つのゾーン２０ａ，２０ｂ，２０ｃ，２０ｄ）に区画されている。これらの各ゾーン２０ａ，２０ｂ，２０ｃ，２０ｄには燃焼用気体供給管６と流動用気体供給管７が複数本取付けられている。【００４１】  その他の構成は実施例１と同じであるため、詳細な説明は省略するが、概略の構成としては、金属製の炉体１は、炉の長手方向両端に線材５を通過させるための入口２と出口３が設けられており、炉天井の入口２側には排気管４が設けられ、図示しないが、炉体内部は耐火煉瓦、断熱煉瓦などで耐熱処理が施されている。【００４２】  各ゾーン毎２０ａ，２０ｂ，２０ｃ，２０ｄに設けられた燃焼用気体供給管６と流動用気体供給管７の端部は、一方は管端の開口部を閉鎖して炉体側壁１ｂに接合され、他方は炉外に設置されているそれぞれの気体供給系１０，１３に接続されている。【００４３】  燃焼用気体供給管６と流動用気体供給管７には、供給管上面から立ち上がる複数本の分配管１４，１５が取付けられ、分配管１４，１５の上端は供給管６，７の上面より少し上のレベルで止まる高さを有し、互いに所定の間隔をおいて配置されている。【００４４】  その他、図面において、１７は流動層であり、流動用気体供給管７から炉内へ送入される流動用気体により、固体粒子が流動化状態となり流動層１７が形成される。また、炉体側壁１ｂには、点火用バーナ１８が取り付けられており、燃焼用気体と流動用気体の混合気体に点火することで燃焼が開始される。なお、炉体１には図示しないが、流動層１７の温度を検出するための計測手段が取付けられている。【００４５】  前記流動層１７は、分配管１５位置より上方で形成されるため、分配管１５位置より下方の固体粒子は流動化状態にはならず、固体粒子が堆積した状態２１となる。これより、燃焼用気体供給管６および流動用気体供給管７はこの堆積した固体粒子２１の上に載っている状態になるため、気体供給管６，７に固体粒子の重量がかからない。【００４６】  図４〜６に示すように、燃焼用気体供給管６と流動用気体供給管７は同じ高さで設置されている。【００４７】  実施例２の流動層熱処理炉を用いる場合、まず流動用気体供給系１３により流動用気体を流動用気体供給管７に連続的に送り込むとともに、燃焼用気体供給系１０により燃焼用気体を燃焼用気体供給管６に連続的に送り込む。流動用気体供給管７に送り込まれた流動用気体は分配管１５を通って、分配管１５の上端のノズル１６から炉内へ噴出され、この流動用気体により固体粒子が流動化状態となり流動層１７を形成する。また、燃焼気体用供給管６に送り込まれた燃焼用気体は分配管１４を通って、分配管１４の上端のノズル１６から炉内へ噴出され、この燃焼用気体が流動層中の流動用気体と混合され、この混合気体に点火用バーナ１８で点火することで燃焼が開始し、流動層１７が加熱され、流動層中を通過する線材５が加熱される。【００４８】  各ゾーン毎２０ａ，２０ｂ，２０ｃ，２０ｄに温度制御や雰囲気制御を行わない場合は、実施例１と同様に、炉内に形成させる流動層１７の流動化速度は流動用気体の供給量で制御を行う。また、炉内の温度制御は流動用気体の供給量を一定にした状態で、燃焼用気体の供給量のみの制御で行うことで、温度制御に伴う流動化速度の変化がほとんどなく、流動層１７から線材５への熱伝達が一定となり、安定した熱処理を行うことができる。【００４９】  線材５の酸化が問題となる場合には、次に示す制御方法とする。線材５の表面酸化量は、高温で酸化雰囲気に晒される時間が長いほど多くなることから、線材５の表面酸化量が多くなる温度範囲のゾーンでは、燃焼用気体の量を多くして、常に一定の燃焼となるようにゾーン内の雰囲気を保持し、前記温度範囲以下となるゾーンでは、燃焼用気体の供給量によりゾーン内の温度制御を行うことで、線材５の酸化を防止する。【００５０】  線材５の表面酸化量は、特に５００℃以上の温度範囲になると多くなることから、５００℃の場合で実施例を説明する。例えば、出口側の２つのゾーン２０ｃ，２０ｄで線材５が５００℃以上となる場合、２つのゾーン内２０ｃ，２０ｄの燃焼用気体の供給量を多くして、燃焼に使用される酸素が不足する状態にする。この状態にすると、ゾーン内２０ｃ，２０ｄは酸素が不足した状態であるため、線材５の酸化を抑えることができる。そして、ゾーン２０ｃ，２０ｄでは、一酸化炭素が発生するため、この一酸化炭素を線材５が５００℃以下となる入口側の２つのゾーン内２０ａ，２０ｂへ移動させ、このゾーン内２０ａ，２０ｂでの燃焼に使用する。この時、ゾーン２０ａ，２０ｂでは燃焼用気体の供給量を調整することで、所定の温度に制御する。
【図面の簡単な説明】
【００５１】
【図１】  本発明の実施例１に示す縦断側面図
【図２】  図１のＡ−Ａ線に沿う断面図
【図３】  図１のＢ−Ｂ線に沿う断面図
【図４】  本発明の実施例２に示す縦断側面図
【図５】  図４のＣ−Ｃ線に沿う断面図
【図６】  図４のＤ−Ｄ線に沿う断面図
【図７】  従来の流動層熱処理炉の断面図
【図８】  従来の高温用流動層熱処理炉の断面図
【符号の説明】
【００５２】  １    炉体
１ａ  炉底面
１ｂ  炉体側壁
２    入口
３    出口
４    排気管
５    線材
６    燃焼用気体供給管
７    流動用気体供給管
８    制御装置
９    燃焼用気体供給手段
１０    燃焼用気体供給系
１１    制御装置
１２    流動用気体供給手段
１３    流動用気体供給系
１４    燃焼用気体の分配管
１５    流動用気体の分配管
１６    ノズル
１７    流動層
１８    点火用バーナ
１９    隔壁
２０ａ〜２０ｄ    ゾーン
２１    堆積した固体粒子
３０    整流板
３１    気体室
３２    バーナ
３３    燃焼生成ガス
３４    固体粒子
３５    空気
３６    燃焼用気体
３７    混合気体
３８    点火用バーナ
３９    ラジアントチューブ
４０    加熱装置
４１    処理材
４２    仕切り壁
４３    主流動用気体室
４４    流動兼加熱用気体室
４５    分配ノズル
４６    粒子固定層
４７    粒子流動層
【図１】
0005141950.tif 000002
【図２】
0005141950.tif 000003
【図３】
0005141950.tif 000004
【図４】
0005141950.tif 000005
【図５】
0005141950.tif 000006
【図６】
0005141950.tif 000007
【図７】
0005141950.tif 000008
【図８】
0005141950.tif 000009